(57)【要約】【課題】  手直し工程で手直しされた手直し部品に関連する検査項目を視認することができる車両の検査管理システムを提供すること。【解決手段】  車両の製造ラインで使用し、手直し部品に対する検査項目を記憶する検査マスタデータベースを備えたサーバ２と、このサーバ２とはＬＡＮ１を介して通信を行い、複数の検査工程で使用される手直し用端末５ｂ及び手直し確認用端末５ｃとからなる車両の検査管理システムにおいて、サーバ２は、前記手直し用端末から送信される手直し部品に対する手直し情報に基づき、前記手直し部品に関連する検査項目を検査マスタデータ１１から抽出し、検査項目を再検査項目として手直し確認用端末５ｃに送信する送信手段を具備し、手直し確認用端末５ｃは、ディスプレイ５４と、このディスプレイに前記サーバから送信された手直し部品に対する再検査項目を表示する表示手段Ｓ２１とを具備した。【選択図】      図１
2005301871.tif 000002
【特許請求の範囲】
【請求項１】
車両の製造ラインで使用し、手直し部品に対する検査項目を記憶する検査マスタデータベースを備えたサーバと、このサーバとはＬＡＮを介して通信を行い、複数の検査工程で使用される手直し用端末及び手直し確認用端末とからなる車両の検査管理システムにおいて、
前記サーバは、前記手直し用端末から送信される手直し部品に対する手直し情報に基づき、前記手直し部品に関連する検査項目を前記検査マスタデータから抽出し、前記検査項目を再検査項目として前記手直し確認用端末に送信する送信手段を具備し、
前記手直し確認用端末は、ディスプレイと、
このディスプレイに前記サーバから送信された手直し部品に対する再検査項目を表示する表示手段とを具備したことを特徴とする車両の検査管理システム。
【請求項２】
前記ディスプレイには各検査項目に対して、検査結果を入力する検査結果入力画面を備え、この検査結果入力画面に入力された検査結果は前記サーバに送信されることを特徴とする請求項1記載の車両の検査管理システム。
【発明の詳細な説明】
【技術分野】
【０００１】
本発明は、車両の製造ラインにおける車両の検査管理システムに関する。
【背景技術】
【０００２】
従来、自動車を製造するラインでは、車両に対して複数の検査工程を設定し、それぞれの検査工程において、検査データをホストコンピュータからパソコンにダウンロードし、オペレータはこの検査データに基づいて検査を行い、その結果をパソコンに入力してホストコンピュータに送信するもの、また、検査の最初に各工程で検査に必要に基準データをバーコードで印刷した検査指示票を発行して車両に添付し、第1の工程で該当するバーコードを読み取って基準データを得、この基準データに基づいて検査を行って、その結果をバーコードラベルとして発行し、このバーコードラベルを検査指示票に貼って車両とともに次の工程へ移動させるものが知られている（例えば、特許文献１参照）。
【特許文献１】特開２００２−１２１７７号公報
【発明の開示】
【発明が解決しようとする課題】
【０００３】
この検査指示票に沿って検査を行った結果、不具合が発見された場合には、その不具合を後の工程（つまり、手直し工程）で手直しする必要がある。
【０００４】
また、この手直し工程において、不具合箇所を手直しする工程において新たな不具合が発生する可能性もある。
【０００５】
本発明は、上記の点に鑑みてなされたもので、その目的は、検査工程で発見された不具合を手直しする手直し工程で発生する手直し情報を収集し、手直し部品に対する再検査を確実に行なうことができる車両の検査管理システムを提供することにある。
【課題を解決するための手段】
【０００６】
請求項1記載の発明は、車両の製造ラインで使用し、手直し部品に対する検査項目を記憶する検査マスタデータベースを備えたサーバと、このサーバとはＬＡＮを介して通信を行い、複数の検査工程で使用される手直し用端末及び手直し確認用端末とからなる車両の
検査管理システムにおいて、車両の製造ラインで使用し、手直し部品に対する検査項目を記憶する検査マスタデータベースを備えたサーバと、このサーバとはＬＡＮを介して通信を行い、複数の検査工程で使用される手直し用端末及び手直し確認用端末とからなる車両の検査管理システムにおいて、前記サーバは、前記手直し用端末から送信される手直し部品に対する手直し情報に基づき、前記手直し部品に関連する検査項目を前記検査マスタデータから抽出し、前記検査項目を再検査項目として前記手直し確認用端末に送信する送信手段を具備し、前記手直し確認用端末は、ディスプレイと、このディスプレイに前記サーバから送信された手直し部品に対する再検査項目を表示する表示手段とを具備したことを特徴とする。
【０００７】
請求項2記載の発明は、請求項1記載の前記ディスプレイには各検査項目に対して、検査結果を入力する検査結果入力画面を備え、この検査結果入力画面に入力された検査結果は前記サーバに送信されることを特徴とする。
【発明の効果】
【０００８】
請求項1記載の発明によれば、手直し用端末から送信される手直し部品に対する手直し情報に基づき、手直し部品に関連する検査項目を前記検査マスタデータから抽出し、前記検査項目を再検査項目として前記手直し確認用端末に送信するようにしたので、再検査項目の内容を手直し確認用端末で視認することができる。
【０００９】
請求項2記載の発明によれば、手直し確認工程での検査結果はサーバに保存しておくことができる。
【発明を実施するための最良の形態】
【００１０】
以下図面を参照して本発明の一実施の形態の動作について説明する。図１は車両の検査管理システムの構成を示す図である。図において、１は車両の製造工場内に配置されたＬＡＮである。このＬＡＮ１には、サーバ２、マスタ管理端末３、複数のアクセスポイント４が接続されている。そして、各アクセスポイント４は近傍にモバイル端末である検査用端末としての検査用携帯端末５ａ、手直し用端末としての手直し用携帯端末５ｂ、手直し確認用端末としての手直し確認用携帯端末５ｃと無線通信するようになっている。
【００１１】
検査用携帯端末５ａは、検査するオペレータ６が所持し、製造ラインにおいて所定の工程が終了する毎にその工程で車７に組み込まれた複数の検査対象部位や部品の検査をこの検査用携帯端末５に操作して行うようになっている。
【００１２】
手直し用携帯端末５ｂは、検査用携帯端末５ａを用いた検査工程で発見された不具合箇所を後の手直し確認工程で手直しをするときにオペレータが所持する。
【００１３】
手直し確認用携帯端末５ｃは、手直し工程で手直しされた不具合箇所が修理されたかを確認する手直し確認工程でオペレータが所持する。
【００１４】
前記サーバ２は、検査マスタデータベース１１や検査結果データベース１２を設けている。この検査マスタデータベース１１には、手直し部品に対する検査項目割当情報が記憶される。ここで、手直し部品とは、検査工程で発見された不具合が発生した部品のことを意味する。また、不具合が発生した部品を手直しをすることにより不具合が発生する可能性がある部位を検査する必要がある。この部位を検査対象部位という。前述した手直し部品と検査対象部位の組を検査対象項目と称する。手直し部品に対する検査項目の割当情報はマスタ管理端末３で設定される。また、サーバ２には、各種業務アプリケーション１３が記憶されている。
【００１５】
前記検査結果データベース１２には、実際に行われた検査結果が記憶される。
【００１６】
前記サーバ２は、図２に示すように、制御部本体を構成するＣＰＵ(中央処理ユニット)２１、このＣＰＵ２１が各部を制御するプログラムデータを格納したＲＯＭ（リード・オンリ・メモリ）２２、前記ＣＰＵ２１やデータ送信時やデータ受信時、データ処理時等において一時的に使用するメモリを設けたＲＡＭ（ランダム・アクセス・メモリ）２３、前記検査マスタデータベース１１や前記検査結果データベース１２を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末５とデータのやり取りを行う通信部２５、キー入力やインジケータの表示等を行うための操作部２６を設け、これらバスライン２７によって互いに電気的に接続している。
【００１７】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為のハードディスク装置３８を設け、これらをバスライン３９によって互いに電気的に接続している。
【００１８】
前記携帯端末５ａ〜５ｃは、図４に示すように、制御部本体を構成するＣＰＵ５１、このＣＰＵ５１が各部を制御するプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行うためのタッチパネル５５、前記アクセスポイント４と無線通信によってデータのやり取りを行う無線通信部５６を設け、これらをバスライン５７によって互いに電気的に接続している。
【００１９】
前記マスタ管理端末３より、管理者は、製造される自動車個々に対して、各工程においてどの部位や部品に対してどのような検査を行うかの検査情報を入力する。さらに、管理者は、手直し部品に対する検査項目割当情報を入力する。この結果、図５のフローチャートの処理により、検査情報及び手直し部品に対する検査項目割当情報はサーバ２の検査マスタデータベース１１に送信される（ステップＳ１）。
【００２０】
こうして、サーバ２の検査マスタデータベース１１に製造される各自動車に対する各工程での検査情報が設定されると、各工程において前記検査用携帯端末５ａがサーバ２と無線通信を行なう。検査用携帯端末５ａは、サーバ２から送信された検査情報に基づいて検査画面を液晶ディスプレイ５４に表示する。そして、その検査画面に各工程の検査結果を入力する。
【００２１】
検査用携帯端末５ａを用いて検査を行った結果、その検査結果はサーバ２に送信される。そして、サーバ２はその検査結果において不具合があると検出された箇所の不具合原因を手直し用携帯端末５ｂに送信する。以降、この手直し用携帯端末５ｂを用いて不具合箇所の修理がなされる。
【００２２】
ところで、不具合箇所によっては、不具合箇所を修理することによって、二次的な不具合が発生することがある。例えば、検査用携帯端末５ａによる検査によりインパネの不具合が発生した場合に、このインパネを新しいインパネに交換すると、このインパネの交換に付随して他の部品において二次的な不具合が発生する可能性がある。従って、不具合箇所を修理して、この修理に起因して発生する可能性のある他の部品も再度検査する必要がある。この検査は後述する手直し確認工程において行われる。
【００２３】
ところで、構成のところでも説明したように、マスタ管理端末３から手直し部品に対する検査項目割当情報が入力されている。この検査項目割当情報は、前述した修理に起因して発生する可能性のある再度検査する必要がある他の部品の情報である。内容としては、検査対象部位と検査内容方法の組である。
【００２４】
ところで、手直し工程において、手直し用携帯端末５ｂはサーバ２に対して手直し部品に関する情報（つまり、手直し情報）を送信する。
【００２５】
この情報を受けたサーバ２は、図５のフローチャートに示すような処理を行う。つまり、サーバ２は手直し用携帯端末５ｂから手直し部品が入力されたかを判定する（ステップＳ１１）。このステップＳ１１の判定で、「ＹＥＳ」と判定された場合には、サーバ２に記憶されている手直し部品に対する検査項目割当情報を手直し確認用携帯端末５ｃに送信される（ステップＳ１２）。
【００２６】
そして、手直し確認用携帯端末５ｃは図７のフローチャートに示す処理を行う。つまり、手直し確認用携帯端末５ｃは、受信した検査項目割当情報を自己の液晶ディスプレイ５４に表示する（ステップＳ２１）。
【００２７】
そして、オペレータが、液晶ディスプレイ５４の表示画面を見て手直し確認を行った結果を入力する。
【００２８】
そして、その結果が入力されたかが判定される（ステップＳ２２）。このステップＳ２２の判定で「ＹＥＳ」と判定された場合には、その検査結果がサーバ２に送信される（ステップＳ２３）。
【００２９】
例えば、手直し用携帯端末５ｂの表示画面の上部の表示領域に、検査区分「Ａ１」、検査内容「異音」、検査対象「パワーウインド」、検査部位「Ｄ席側」が表示される。つまり、パワーウインドから異音が発生したという不具合が表示される。
【００３０】
また、手直し携帯端末５ｂの表示画面の下部の表示領域には、調整すべき手直し部品が表示される。
【００３１】
また、手直し検査用携帯端末５ｃには、手直し検査用携帯端末５ｂの表示領域に表示されている検査対象に対する再検査すべき検査対象部位を表示する表示領域と、手直し検査用携帯端末５ｂの表示領域に表示されている手直し部品を手直しすることにより２次的な問題が発生し得る周辺部品に対して行うべき検査対象部位が表示される表示領域が設けられている。
【００３２】
前述した再検査すべき検査対象部位を表示する表示領域の最右端には、検査結果を入力するボタンが表示される。
【００３３】
さらに、前述した手直し部品を手直しすることにより２次的な問題が発生し得る周辺部品に対して行うべき検査対象部位が表示される表示領域の最右端にも、２次的な不具合が発生し得る周辺部品に対して行うべき検査対象部位に対する検査を行った結果入力する入力ボタンが表示されている。
【００３４】
ここで、前述した手直し部品を手直しすることにより２次的な問題が発生し得る周辺部品に対して行うべき検査対象部位が表示される表示領域に表示されるすべての検査対象部位の検査結果として全てＯＫが入力されると、検査領域の最右端の検査結果を入力する入力ボタンが入力可能状態とされる。
【００３５】
以上のように、検査工程で発見された問題を手直しする手直し工程で発生する新たな問題に対しても自動的に手直し確認工程で検査するようにしたので、問題箇所を手直しする工程で発生し得る２次的な問題の検査漏れを確実になくすことができる。
【００３６】
なお、この実施の形態では、検査用端末として検査用携帯端末を使用し、手直し用端末として手直し用携帯端末、手直し確認用端末として手直し確認用携帯端末を使用し、サーバ２とアクセスポイント４を介して無線通信方式で通信を行うものについて述べたが必ずしもこれに限るものではなく、サーバ２とＬＡＮによって設定された設置式の検査用端末、手直し用端末、手直し確認用端末を使用しても良い。
【００３７】
さらに、検査用携帯端末５ａの液晶ディスプレイ５４はタッチパネル式であったがこれに限るものではない。
【図面の簡単な説明】
【００３８】
【図１】本発明の一実施の形態に係わる検査管理システムの構成を示す図。
【図２】同実施の形態におけるサーバのハード構成を示すブロック図。
【図３】同実施の形態におけるマスタ管理端末のハード構成を示すブロック図。
【図４】同実施の形態における検査用携帯端末，手直し用携帯端末及び手直し確認用携帯端末のハード構成を示す図。
【図５】同実施の形態に係わるマスタ管理端末の処理を説明するためのフローチャート。
【図６】同実施の形態に係わるサーバの処理を説明するためのフローチャート。
【図７】同実施の形態に係わる手直し確認用携帯端末の処理を説明するためのフローチャート。
【符号の説明】
【００３９】
１…ＬＡＮ、２…サーバ、３…マスタ管理端末、４…アクセスポイント、
５ａ…検査用携帯端末、５ｂ…手直し用携帯端末、５ｃ…手直し確認用携帯端末、１１…検査マスタデータベース。
【図１】
2005301871.tif 000003
【図２】
2005301871.tif 000004
【図３】
2005301871.tif 000005
【図４】
2005301871.tif 000006
【図５】
2005301871.tif 000007
【図６】
2005301871.tif 000008
【図７】
2005301871.tif 000009